(57)【要約】      （修正有）【課題】アルバム（特に表紙に写真又は絵を有するアルバム）を安定的に収容できるとともに、収容状態において、アルバム表紙部分（特に表紙にある写真や絵など）を外部から視認することができるアルバム収容箱を提供する。【解決手段】アルバム収容箱は、正面板１１ａ、背面板１１ｂおよび側面板１１ｃから構成され、内部に空間部を有する収容箱本体と、空間部において、背面板に設けられたアルバムを固定するための枠構造、フック構造、面ファスナーまたは磁石などのアルバム固定手段と、正面板に設けられた空間部を視認できる窓部１３と、を有する。【選択図】図１
0003225947.tif 000002
【実用新案登録請求の範囲】
【請求項１】
正面板、背面板および側面板から構成され、内部に空間部を有する収容箱本体と、
当該空間部において、背面板に設けられたアルバムを固定するためのアルバム固定手段と、
前記正面板に設けられ、空間部を視認できる窓部と、を有することを特徴とするアルバム収容箱。
【請求項２】
前記窓部が、透明材料で構成されていることを特徴とする請求項１に記載のアルバム収容箱。
【考案の詳細な説明】
【技術分野】
【０００１】
本考案は、新規のアルバム収容箱に関し、具体的には、アルバム（特に表紙に写真又は絵を有するアルバム）を安定的に収容できるとともに、収容状態においては、アルバム表紙部分（特に表紙にある写真や絵など）を外部から視認することができるアルバム収容箱に関する。
【背景技術】
【０００２】
結婚式、出産祝い、七五三詣で、卒業式、銀婚式、金婚式、還暦祝い等の慶事においては、式の当事者を中心として、記念写真の撮影が行われる慣例がある。その記念写真は、保管のためアルバムに収載され、家族内で、あるいは親戚や友人の閲覧に供される。このように記念写真を収載したアルバムは、家族内外の交流を深めて人的関係・絆を強めたり、当事者やその関係者が思い出を回顧したりするなど、ライフスタイルにおいては重要な役割を有する。
【０００３】
そのため、この記念写真を収載するアルバムは、一般に、表紙、背表紙等外観部分にも装飾や意匠（デザイン）が施されたり、写真が印刷されていたりするなど、アルバムの外観自体が美的鑑賞に値するものである。
【０００４】
一方で、一般的にはアルバム自体が丈夫な（堅牢な）構造となっており、嵩高いものである。そのため、保管場所のスペースを大きく占有してしまうため、リビング等の本棚での保管が難しい。特に、数々の慶事を経て増えていくアルバムは、使用頻度が小さい物品として、押し入れ等に長年保管されることになる。
【０００５】
このような問題に対して、たとえば、アルバムの省スペース化を図るため、様々なアルバム収容箱（アルバムケース）が提案されている（たとえば、特許文献１）。
【０００６】
しかしながら、この特許文献に開示されたアルバム収容箱を含め、従来のアルバム収容箱は、省スペース化を指向するものの、外観自体が美的鑑賞に値するアルバムを積極的にインテリアとして使用するという提案はない。結局のところ、押し入れ等に長年保管される傾向にあることには変わりがない。そして、当然、そのアルバムを閲覧する頻度は小さくなり、人的関係・絆を強めたり、思い出を回顧したりするなどの、アルバム本来の役割・機能を果たせなくなっていることが現状である。
【先行技術文献】
【特許文献】
【０００７】
【特許文献１】特開平８−２６７９５８号公報
【考案の概要】
【考案が解決しようとする課題】
【０００８】
本考案者は、従来からある課題を鋭意検討した結果、収容箱本体内部にアルバム固定手段と空間部（収容箱本体内部）を視認できる窓部を設けることにより、アルバムを収容した場合に、アルバム外観にある意匠や写真等を鑑賞できることを見出した。
【０００９】
すなわち、本考案は、アルバム（特に表紙に意匠、写真もしくは絵を有するアルバム）を安定的に収容できるとともに、収容状態においては、アルバム表紙部分（特に表紙にある写真など）を外部から視認することができるアルバム収容箱を提供することを目的とする。
【課題を解決するための手段】
【００１０】
本考案は、具体的には、以下のとおりである。
［１］正面板、背面板および側面板から構成され、内部に空間部を有する収容箱本体と、当該空間部において、背面板に設けられたアルバムを固定するためのアルバム固定手段と、前記正面板に設けられ、空間部を視認できる窓部と、を有することを特徴とするアルバム収容箱
【００１１】
［２］  前記窓部が、透明材料で構成されていることを特徴とする［１］のアルバム収容箱。
【考案の効果】
【００１２】
本考案にかかるアルバム収容箱によれば、アルバム（特に表紙に写真又は絵を有するアルバム）を安定的に収容できるとともに、収容状態においては、アルバム表紙部分（特に表紙にある写真や絵など）を外部から視認することができる。
【図面の簡単な説明】
【００１３】
【図１】図１は、本考案に係るアルバム収容箱の一態様を示すための斜視図である。
【図２】図２は、本考案に係るアルバム収容箱の一態様を示すための正面図である。
【図３】図３は、本考案に係るアルバム収容箱の一態様であって、出願人の試作品を示すための正面図である。
【図４】図４は、本考案に係るアルバム収容箱の一態様であって、出願人の試作品を示すための斜視図である。
【考案を実施するための形態】
【００１４】
以下、本考案にかかるアルバム収容箱について、適宜図面を参照しながら詳細に説明する。
【００１５】
図１〜２の付番１０は、本考案にかかるアルバム収容箱を示している。このアルバム収容箱１０は、図１〜２に示されるように、正面板１１ａ、背面版１１ｂおよび側板１１ｃから構成される収容箱本体１１を有する。図１〜４では、一般的な外観デザインとして、６面体の箱型形状を有するアルバム収容箱を例示しているが、箱型形状であれば特に限定されない。なお、図１〜４に示されるような、６面体の箱型形状の場合、側板は４枚となる。
【００１６】
また、収容箱本体１１は、その内部に、空間部を有している。この空間部において、アルバムは、後述するアルバム固定手段で保持されることになる。
【００１７】
また、収容箱本体の材質は特に限定されないが、たとえば、木材、プラスチック、厚紙、金属などが挙げられ、単独でもこれらを組みわせて使用してもよい。なお、図３〜４は、出願人による試作品のアルバム収容箱を示すが、この収容箱は木材で構成されている。
【００１８】
図１〜２に示されるように、正面板１１ａには、空間部（すなわち、アルバム収容箱内部）を視認できる窓部１３が設けられている。この窓部１３により、アルバムが収容された場合、外部からアルバムの表紙部分を視認することができる。
【００１９】
なお、図１〜４では、透明材料から構成された窓部１３が例示されているが、外部から視認できる限り特に限定されるものではなく、たとえば、窓部は開口部分であってもよい。
【００２０】
また、透明材料から構成された窓部においては、透明材料は特に限定されないが、ガラス、透明プラスチック（たとえば、アクリル樹脂、ポリカーボネート樹脂、オレフィン系樹脂）などが挙げられる。中でも、透明性が高く、かつ破損しにくいという観点からはアクリル樹脂であることが好ましい。なお、図３〜４に例示されるアルバム収容箱においては、アクリル樹脂から構成された窓部を有している。
【００２１】
図２の付番１２は、当該空間部において、アルバムを固定するためのアルバム固定手段を示し、当該アルバム固定手段１２は背面板１１ｂ（より詳細には空間部内の背面板１１ｂの表面）に設けられている。
【００２２】
図２および図４では、当該アルバム固定手段１２は、アルバムAを収容・保持できる囲曉（枠）構造であるが、これに限定されるものではない。たとえば、アルバムの表紙部分と空間部内の背面板とを固定するフック構造、マジックテープ（登録商標）、磁石などをアルバム固定手段としてもよい。また、アルバムが４角形の形状を有する場合、その４隅を釘、ネジなどの突起物で固定（係止）するものであってもよい。
【００２３】
美観上の観点からは、当該アルバム固定手段が囲曉（枠）構造である場合、図３〜４に示されるように、その囲曉部分（枠部分）の周辺部分が窓部の周辺部分と重なるようになっていることが好ましいが、このような位置関係も特に限定されるものではない。
【００２４】
また、本考案に係るアルバム収容箱を、額のように壁面に掛られるようにするために、収容箱本体の背面部には、フック、ネジ、釘、吊り下げ紐など壁面固定手段を備えていることが好ましい。
【００２５】
また、本考案に係るアルバム収容箱は、収容箱本体の少なくとも１面が、開口する構造（空間部を開放する構造）をとっていることが好ましい。図３〜４のアルバム収容箱においては、正面部（すなわち窓部がある平面部分）が開く構造を有している。図示はしないが、この正面部を開くと、空間部内部に設けられた囲曉部（アルバム固定手段）の内側部分と略合同な平面部分を有するアルバムを収容し、再び、正面部を閉じることで、窓部を通じて、外部から意匠性の高い表紙部分、あるいは表示部分に印刷された写真を鑑賞することができる。
【００２６】
このように本考案に係るアルバム収容箱は、アルバムを収容することで高い鑑賞性を発揮し、リビング等のインテリアの一部として積極的に利用することができる。
【産業上の利用可能性】
【００２７】
本考案によれば、アルバム（特に表紙に写真又は絵を有するアルバム）を安定的に収容できるとともに、収容状態においては、アルバム表紙部分（特に表紙にある写真や絵など）を外部から視認することができるアルバム収容箱を提供することができる。
【符号の説明】
【００２８】
Ａ：アルバム
１０：本考案に係るアルバム収容箱
１１：収容箱本体
１１ａ：正面板
１１ｂ：背面板
１１ｃ：側板
１２：アルバム固定手段
１３：窓部
【図１】
0003225947.tif 000003
【図２】
0003225947.tif 000004
【図３】
0003225947.tif 000005
【図４】
0003225947.tif 000006
【手続補正書】
【提出日】令和2年2月18日(2020.2.18)
【手続補正１】
【補正対象書類名】実用新案登録請求の範囲
【補正対象項目名】全文
【補正方法】変更
【補正の内容】
【実用新案登録請求の範囲】
【請求項１】
正面板、背面板および側面板から構成され、内部に空間部を有する収容箱本体と、
当該空間部において、背面板に設けられたアルバムを固定するためのアルバム固定手段と、
前記正面板に設けられ、空間部を視認できる窓部と、を有するアルバム収容箱であって、
前記アルバム固定手段が、前記背面板の空間部側に設けられた囲曉壁からなり、当該囲曉壁に囲まれる部分にアルバムを収容および保持する囲曉壁構造であることを特徴とするアルバム収容箱。
【請求項２】
前記窓部が、透明材料で構成されていることを特徴とする請求項１に記載のアルバム収容箱。